(57)【要約】【課題】ジャッキベースの上部を固定する引っかけ部を設けたとしても、嵩張らずに上下に積み重ねることができる足場用敷板を提供する。【解決手段】ジャッキベース３を下側から支持するジャッキベース受け部１０、２０と、このジャッキベース受け部１０、２０よりも上側に位置する本体上面３０と、ジャッキベース受け部１０、２０がジャッキベース３を支持している状態で、ジャッキベース３の上面の上側に被さる態様で設けられ、上面が本体上面３０と略同一な平面を成す引っかけ部３１、３２、３３、３４、３５、３６とを備えている。【選択図】図１
0003170419.tif 000002
【実用新案登録請求の範囲】
【請求項１】
足場支柱の下端部に装着されるジャッキベースを支持する足場用敷板において、
前記ジャッキベースを下側から支持するジャッキベース受け部と、
このジャッキベース受け部よりも上側に位置する本体上面と、
この本体上面と略平行に形成された本体底面と、
前記ジャッキベース受け部が前記ジャッキベースを支持している状態で、前記ジャッキベースの上面の上側に被さる態様で設けられ、上面が前記本体上面と略同一な平面を成す引っかけ部と、
を備えていることを特徴とする足場用敷板。
【請求項２】
前記本体上面から突出する位置決め部と、
前記本体底面に形成され、複数の前記足場用敷板を上下に積み重ねた状態で、下側の前記位置決め部が係合すると共に、前記位置決め部が収容されて、前記本体表面および前記引っかけ部の上面と前記本体底面とが接するように形成された受け部と
を備えることを特徴とする請求項１に記載の足場用敷板。
【請求項３】
前記受け部は、前記本体底面に形成された十字状に交差する複数のリブであり、前記位置決め部は、前記リブの交差部分と係合するように略Ｌ字形状に形成されていることを特徴とする請求項２に記載の足場用敷板。
【請求項４】
前記位置決め部および前記受け部は、中央からほぼ等しい距離でそれぞれ配設されていることを特徴とする請求項２または請求項３に記載の足場用敷板。
【請求項５】
前記ジャッキベースを支持するジャッキベース受け部が少なくとも２つ以上形成され、これらのジャッキベース受け部と対応する前記引っかけ部がそれぞれに設けられていることを特徴とする請求項１から請求項４のいずれか１つに記載の足場用敷板。
【考案の詳細な説明】
【技術分野】
【０００１】
本考案は、建築などの工事現場で仮設足場を立設する際に、この仮設足場の下側に敷設して仮設足場を安定して設置できるようにするための足場用敷板に関する。
【背景技術】
【０００２】
従来、建築などの工事現場では、建屋周りに仮設足場を立設する際に、この足場の下側に敷設する足場用敷板が用いられている。この仮設足場の脚部は、上下方向の長さを調整するジャッキ部（足場支柱）と、このジャッキ部の下側に取り付けられる平板状のジャッキベースとで構成されており、上述した足場用敷板は、この平板状のジャッキベースの下全面を受けることができるようになっている。
【０００３】
従来の足場用敷板は、ジャッキベースが上側から載置され、段差を利用してジャッキベースの前後左右の水平位置を規制するものであった（例えば、特許文献１、２参照）。また、足場をより安定的に支持するために（特に高層用の足場を支持するために）、ジャッキベースの前後左右のみならず、上下方向も規制する構造のものが開発され、現状では、これが主流になっている。
【０００４】
この上下方向を規制する構造としては、例えば、ジャッキベースの上側を押さえるための引っかけ部を敷板に設けたものがある。ジャッキベースは、この引っかけ部を避けるようにして側方からスライドさせて取り付けられる（例えば、特許文献３、４参照）。
【先行技術文献】
【特許文献】
【０００５】
【特許文献１】特開平１０−３３１４５１号公報
【特許文献２】特開平１０−３３１４５２号公報
【特許文献３】特開平１０−１２１７１５号公報
【特許文献４】特開２０１０−９５９７４号公報
【考案の概要】
【考案が解決しようとする課題】
【０００６】
上述した特許文献１に記載されている足場用敷板には、その上面に位置決め用の突起が設けられ、底面にはこの突起を受ける受け部が設けられている。これらの突起および受け部は、複数の足場用敷板を上下に積み重ねて収納する際に嵌合させることで、積み重ねた足場用敷板の荷崩れを防止している。
【０００７】
しかしながら、特許文献３、４のように敷板の上側に引っかけ部を設けたものでは、引っかけ部が上面よりも上側に突出してしまうので、上手く積み上げることができず、荷崩れが生じる場合がある。また、敷板を上下に積み重ねたときに、この引っかけ部が突出している分だけ嵩張ってしまい荷姿が大きくなってしまう。他方、敷板の底面を工夫して、引っかけ部が上側に突出している部分を避ける構造にすることも考えられるが、構造が繁雑になるばかりか、引っかけ部の位置が不規則なため、敷板の向きを全て同じにして積み重ねなければならず、積み上げ作業が煩わしい。
【０００８】
本考案は、上述した事情を鑑みてなされたものであり、ジャッキベースの上部を固定する引っかけ部を設けたとしても、嵩張らずに上下に積み重ねることができる足場用敷板を提供するためのものである。
【課題を解決するための手段】
【０００９】
上述課題を解決するため、本考案は、足場支柱の下端部に装着されるジャッキベースを支持する足場用敷板において、前記ジャッキベースを下側から支持するジャッキベース受け部と、このジャッキベース受け部よりも上側に位置する本体上面と、この本体上面と略平行に形成された本体底面と、前記ジャッキベース受け部が前記ジャッキベースを支持している状態で、前記ジャッキベースの上面の上側に被さる態様で設けられ、上面が前記本体上面と略同一な平面を成す引っかけ部とを備えていることを特徴とする。
この構成によれば、引っかけ部の上面が上側に積み上げられる足場用敷板の本体底面と干渉せず、足場用敷板を嵩張らずに積み上げることができるようになる。
【００１０】
また、前記本体上面から突出する位置決め部と、前記本体底面に形成され、複数の前記足場用敷板を上下に積み重ねた状態で、下側の前記位置決め部が係合すると共に、前記位置決め部が収容されて、前記本体表面および前記引っかけ部の上面と前記本体底面とが接するように形成された受け部とを備えるようにしてもよい。
この構成によれば、複数の足場用敷板を嵩張らずに積み上げることができるとともに、積み上げた足場用敷板の左右方向の積載位置を規制することができるようになる。
【００１１】
さらに、前記受け部は、前記本体底面に形成された十字状に交差する複数のリブであり、前記位置決め部は、前記リブの交差部分と係合するように略Ｌ字形状に形成されていてもよい。
この構成によれば、リブによる補強および全体の軽量化が実現できると共に、簡単な構造で位置決め部および受け部を構成することができるようになる。
【００１２】
また、前記位置決め部および前記受け部は、中央からほぼ等しい距離でそれぞれ配設されていてもよい。
この構成によれば、複数の足場用敷板の向きを気にせずに積み上げることができるようになる。
【００１３】
さらにまた、前記ジャッキベースを支持するジャッキベース受け部が少なくとも２つ以上形成され、これらのジャッキベース受け部と対応する前記引っかけ部がそれぞれに設けられていてもよい。
この構成によれば、ジャッキベースの受け部が少なくとも２つ以上の位置で選択できるようになり、利便性が向上する。
【考案の効果】
【００１４】
本考案に係る足場用敷板では、前記ジャッキベースを下側から支持するジャッキベース受け部と、このジャッキベース受け部よりも上側に位置する本体上面と、この本体上面と略平行に形成された本体底面と、前記ジャッキベース受け部が前記ジャッキベースを支持している状態で、前記ジャッキベースの上面の上側に被さる態様で設けられ、上面が前記本体上面と略同一な平面を成す引っかけ部とを備えているので、複数の足場用敷板を上下に積み重ねたとしても、積み重ねた上側の足場用敷板の本体底面と下側の足場用敷板の引っかけ部が上下方向で干渉しない。そのため、複数の足場用敷板を上下に嵩張らずに積み重ねることができる。
【図面の簡単な説明】
【００１５】
【図１】本考案の実施の形態に係る足場用敷板を斜め上側から見た斜視図であって、足場用敷板の中央にジャッキベースを取り付けた状態を示したものである。
【図２】本考案の実施の形態に係る足場用敷板の斜視図であって、足場用敷板の側端部にジャッキベースを取り付けた状態を示したものである。
【図３】足場用敷板を斜め下側から見た斜視図である。
【図４】足場用敷板の平面図である。
【図５】足場用敷板の正面図である。
【図６】図４のＡ−Ａ断面図である。
【図７】足場用敷板を上下に複数積み重ねた状態を示す斜視図である。
【考案を実施するための形態】
【００１６】
以下、本考案の実施の形態に係る足場用敷板について、図１〜図６を用いて詳細に説明する。
図１および図２は、本実施の形態に係る足場用敷板１を斜め上側から見た斜視図、図３は、足場用敷板１を斜め下側から見た斜視図である。また、図４は足場用敷板１の平面図、図５は正面図、図６は図４のＡ−Ａ断面図である。なお、以下の説明において、上下の方向は、図１の足場用敷板を見た状態を基準にしたものをいう。また、正面、および左右の方向は、図１の足場用敷板を左斜め下側から見た状態を基準にする。
【００１７】
足場用敷板１は、図１〜図６に示すように、所定の厚みを有する略正方形の形状に形成されている。この足場用敷板１は、樹脂材料で一体に成型されたものであり、特に、樹脂成型用金型を上下方向に２分割して全体が成型できるように、各々の構造が工夫されている。
【００１８】
足場用敷板１は、図１および図２に示すように、ジャッキベース３を受けるための、略正方形の第１受け部１０および第２受け部２０（これらを総称して、ジャッキベース受け部という）を備えている。なお、第１受け部１０と第２受け部２０との略正方形の平面は、図１、図２および図４に示すように、その一部の面積が重なっており、この重複した平面部分が共有して使用されるようになっている。
【００１９】
また、足場用敷板１には、これらの受け部１０、２０よりも上側に段差状に位置し、足場用敷板１の上側の平面を構成する本体上面３０と、図３に示すように、足場用敷板１の下側の面を構成する本体底面４０とを備えている。これらの本体上面３０、本体底面４０および受け部１０，２０の平面は、詳細は後述するが、道路などの接地面に置かれた状態で、いずれも接地面と略平行な面となるように形成されている。
【００２０】
さらに、足場用敷板１の正方形の四方には、足場用敷板１の厚み分の側面１ａ〜１ｄが形成されている。より詳細には、正面から見た側を側面１ａ、側面１ａの右側に位置する面を側面１ｂ、奥側の面を側面１ｃ、側面１ａの左側に位置する面を側面１ｄを有している。
【００２１】
第１受け部１０は、図１に示すように、足場用敷板１の略中央部に形成された略正方形の領域を有する平面である。この第１受け部１０には、足場支柱２の下端部２ａに装着されたジャッキベース３が取り付けられるようになっている。このジャッキベース３は、鋼板製の略正方形の平板で構成されており、足場支柱２から作用する荷重を受け、その広い面積で接地面への圧力を緩和する機能を果たしている。そして、第１受け部１０は、このジャッキベース３の下面の全面と接するようになっている。
【００２２】
また、第１受け部１０の側面１ａ側には、図１に示すように、挿入面１１が形成されている。この挿入面１１は、第１受け部１０が側面１ａまで延びるような態様で形成されており、この第１受け部１０の平面と略面一になっている。この挿入面１１は、上述したジャッキベース３を側面１ａ側から第１受け部１０までスライドさせて挿入するためのものであり、ジャッキベース３は、この挿入面１１に沿って略水平に移動することによって、第１受け部１０に取り付けられる。
【００２３】
また、第１受け部１０の四方の側部には、図１に示すように、３つの壁部１２、１３、１４と、ストッパー１５とが形成されている。これらの壁部１２、１３、１４は、本体上面３０に向かって略垂直に延びる起立面を備えており、この起立面がジャッキベース３の略正方形の側辺の縁部と当接することでジャッキベース３の水平方向の取付位置を規制している。
【００２４】
ストッパー１５は、図１に示すように、上述した挿入面１１上に設けられており、漢字の山の字のような形状を有している。このストッパー１５の上面には、側面１ａ側（前側）からジャッキベース受け面１０側（後側）に向かって斜め上方に傾斜する傾斜面１５ａが形成されている。また、ストッパー１５の後側には、傾斜面１５ａの上端から下側に向けて延びる垂直面１５ｂが形成されている。傾斜面１５ａは、上述したジャッキベース３が第１受け部１０へと挿入し易いように傾斜している。また、垂直面１５ｂは、上述した壁部１２、１３、１４の機能と同様に、ジャッキベース３の縁部と当接することで、ジャッキベース３が側面１ａ側へ移動しないようにその取付位置を規制している。
【００２５】
すなわち、３つの壁部１２、１３、１４およびストッパー１５は、第１受け部１０に取り付けられたジャッキベース３が水平方向（４方向）のいずれにもずれないようにする機能を果たしている。
【００２６】
また、第１受け部１０の中央（足場用敷板１の中央）には、図１、図２、特に図４に示すように、上下方向に貫通する丸形の水抜き穴１６が形成されている。この水抜き穴１６は、第１受け部１０および第２受け部２０に雨水が溜まったとしても、この水抜き穴１６から足場用敷板１の下側に排水する機能を果たしている。
【００２７】
一方、第２受け部２０は、図２に示すように、第１受け部１０を側面１ｃおよび側面１ｄ側に斜め方向にずらした位置に形成されている。この第２受け部２０は、第１受け部１０でジャッキベース３を受けられない場合、例えば、足場を立設する建屋とジャッキベース３が近くて第１受け部１０で受けると足場用敷板１と建屋とが干渉してしまう場合に使用される。この第２受け部２０も第１受け部１０と同様に、略正方形の平面にジャッキベース３を取り付けることができるようになっており、ジャッキベース３の下面の全面と接するような平面として形成されている。
【００２８】
また、第２受け部２０の側辺１ｃ側を除く三方の側部には、図２に示すように、３つの壁部２１、２２、２３が形成されている。これらの壁部２１、２２、２３は、上述した壁部１２、１３、１４と同様に、本体上面３０に向かって略垂直に延びる起立面を備えており、この起立面がジャッキベース３の略正方形の側辺の縁部と当接することでジャッキベース３の水平方向の取付位置が規制される。
【００２９】
なお、第２受け部２０の側辺１ｃ側には、壁部が設けられておらず、この側辺１ｃ側からジャッキベース３がスライドして挿入される。この側面１ｃは、例えば、建屋と隣接するように配置されるので、この建屋によってジャッキベース３の側辺１ｃ側の位置が規制されることになる。
【００３０】
本体上面３０は、図１、図２、図４〜図６に示すように、第１受け部１０および第２受け部２０の平面よりも上側に位置しており、その全面が面一に形成されている。この本体上面３０には、取り付けられたジャッキベース３の上方向への位置を規制（ジャッキベース３が上側に抜けないように規制）する引っかけ部３１、３２、３３、３４、３５、３６が設けられている。また、本体上面３０には、足場用敷板１を積み重ねて保管する際に、複数の足場用敷板１の前後左右の位置を規制する位置決め部３７、３８、３９が形成されている。
【００３１】
引っかけ部３１は、図１および図４に示すように、壁部１２の上側に設けられており、第１受け部１０の内側に向けて略水平に突出し、ジャッキベース３が取り付けられた状態で、ジャッキベース３の上面に被さるようになっている。また、２つの引っかけ部３２、３３も同様に、壁部１３の上側に設けられており、第１受け部１０の内側に向けて略水平に突出し、ジャッキベース３が取り付けられた状態で、ジャッキベース３の上面に被さるようになっている。これらの引っかけ部３１、３２、３３の上面は、本体上面３０の平面と略面一（ほぼ同一な平面）になるように形成されている。これにより、ジャッキベース３は、上方向への力が作用したときに、引っかけ部３１、３２、３３に引っかかり、上方向に抜けないようになる。
【００３２】
この引っかけ部３１、３２、３３の個数は３つで構成されているが、ジャッキベース３の上側への位置を規制することができれば、その個数は、２つ或いは４つ以上であってもかまわない。また、引っかけ部３１、３２、３３は、図１に示すように、ジャッキベース３のそれぞれの角部付近に設けることが好ましいが、上下方向を規制することができれば、それ以外の位置に設けてあってもかまわない。
【００３３】
同様に、引っかけ部３４、３５、３６は、図２に示すように、第２受け部２０の内側に向けて略水平に突出し、ジャッキベース３が取り付けられた状態で、ジャッキベース３の上面に被さるように設けられている。より詳細には、引っかけ部３４、３６は、壁部２３の上側に設けられており、引っかけ部３５は、壁部２２の上側に設けられている。また、引っかけ部３４、３５、３６の上面も同様に、本体上面３０の平面と略面一になるように形成されている。
【００３４】
なお、上述した引っかけ部３１、３２、３３、３４、３５、３６の上面と本体上面３０の平面とが「略面一」と記載したが、この「略」は、完全に面一な状態でなくてもよいという意味である。すなわち、詳細は後述するが、複数の足場用敷板１を上下に積み重ねたときに、足場用敷板１の本体底面４０と各引っかけ部３１、３２、３３、３４、３５、３６の上面とが、本体表面３０の平面と同じように接する程度に面一であればよい。そのため、多少の凹凸（例えば、製造上で生じる引けや隆起）或いは製造上の段差があったとしても、足場用敷板１が嵩張らないように積み重ねられる程度のものであれば、略面一な状態であると言える。
【００３５】
また、第１受け部１０および第２受け部２０には、図４に示すように、引っかけ部３１、３２、３３、３４、３５、３６のそれぞれの下側に、抜き穴３１ａ、３２ａ、３３ａ、３４ａ、３５ａ、３６ａが形成されている。この抜き穴３１ａ、３２ａ、３３ａ、３４ａ、３５ａ、３６ａの形状（大きさ）は、平面視（図４参照）において、引っかけ部３１、３２、３３、３４、３５、３６の形状よりも大きく形成されている。また、これらの抜き穴３１ａ、３２ａ、３３ａ、３４ａ、３５ａ、３６ａは、第１受け部１０および第２受け部２０を上下方向に貫通する態様で形成されている。
【００３６】
これらの抜き穴３１ａ、３２ａ、３３ａ、３４ａ、３５ａ、３６ａは、金型を上下に２分割する際に、抜き穴３１ａ、３２ａ、３３ａ、３４ａ、３５ａ、３６ａを通して金型を引き抜いて、引っかけ部３１、３２、３３、３４、３５、３６を成型するためのものである。
【００３７】
位置決め部３７、３８、３９は、図１、図２、図４〜図６に示すように、平面視において略Ｌ字形状にそれぞれ形成されている。この位置決め部３７、３８、３９は、角部角部３７ａ、３８ａ、３９ａと、この角部３７ａ、３８ａ、３９ａを挟んで直交する２つの外側面３７ｂ、３８ｂ、３９ｂとで構成されている。これらの位置決め部３７、３８、３９は、詳細は後述するが、本体底面４０に形成された受け部（縦リブ４１と横リブ４２）内に収容され、足場用敷板１を上下に重ね合わせたときの左右方向の位置決めとして機能する。
【００３８】
また、３つの位置決め部３７、３８、３９は、足場用敷板１の中央（図４における水抜き穴１６の中心）からほぼ等しい距離で（所定の間隔をあけて）それぞれ配設されている。より詳細には、図４において、水抜き穴１６の中心を基準にして、位置決め部３７を反時計回りに９０°回転させた位置に位置決め部３８が配設されている。同様に、位置決め部３８を反時計回りに９０°回転させた位置に位置決め部３９が配設されている。この構成によれば、詳細は後述するが、足場用敷板１を積み上げる際に、足場用敷板１の向きが異なっていても同じように積み上げることができるようになる。
【００３９】
なお、上述した「ほぼ等しい距離」というのは、各受け部に位置決め部が対応して係合可能であればよく、厳密に等しい距離でなくてもよいという意味である。
【００４０】
本体底面４０には、図３に示すように、軽量化のために複数の縦リブ４１および横リブ４２が十字状に交差する態様で設けられている。この縦リブ４１および横リブ４２で構成された部分には、足場用敷板１を積み重ねたときに位置決め部３７、３８、３９と対応する位置に、受け部４３ａ、４３ｂ、４３ｃ、４３ｄを備えている。
【００４１】
この受け部４３ａ、４３ｂ、４３ｃ、４３ｄは、交差する縦リブ４１および横リブ４２で構成される角部と、この角部を挟む縦リブ４１および横リブ４２の側面で構成されている。この受け部４３ａ、４３ｂ、４３ｃ、４３ｄには、足場用敷板１を上下に積み重ねる際に、位置決め部３７、３８、３９が上側に収容される態様で入り込み、かつ、位置決め部の外側面３７ｂ、３８ｂ、３９ｂが、受け部４３ａ、４３ｂ、４３ｃ、４３ｄを構成する縦リブ４１および横リブ４２の内側面で接触するようになる。これにより、積み重ねられた上側の足場用敷板１は、その水平方向において位置が規制されるようになる。
【００４２】
また、複数の縦リブ４１および横リブ４２のそれぞれの下端部は、本体底面４０が一様な平面を構成するように形成されている。これにより、例えば、足場用敷板１を道路などの平面に載置したときに、本体底面４０の縦リブ４１および横リブ４２の下端部の全体が道路と接触し、安定して荷重を受けることができることになる。また、本体底面４０の平面は、本体上面の平面と略平行に形成されている。
なお、上述した縦リブ４１および横リブ４２の上下方向の高さは、図３に示すように、本体表面３０、第１受け部１０、第２受け部２０の高さに合わせて形成されている。
【００４３】
次に、足場用敷板１の作用について、図１〜図７を用いて説明する。図７は、足場用敷板１を上下に複数積み重ねた状態を示す斜視図である。
足場用敷板１は、図７に示すように、運搬時および収納時に、複数が上下に積み重ねられた荷姿となる。この足場用敷板１の本体上面３０には、上側に積み重ねられた足場用敷板１の本体底面４０が密着するように積み重ねられる。これは、本体底面４０が水平な面を構成するとともに、６つの引っかけ部３１、３２、３３、３４、３５、３６の上面が本体上面３０と略同一な平面で構成されているためである。また、位置決め部３７、３８、３９は、図７に示すように、本体底面４０から上側に収容される態様で積み上げられるので、本体上面３０と本体底面４０とが密着するのを妨げない。
【００４４】
また、位置決め部３７、３８、３９は、本体底面４０の受け部４３ａ、４３ｂ、４３ｃ、４３ｄのどの位置とも対応しており、積み上げられる足場用敷板１の向きを９０°（或いは、１８０°、２７０°）回転させた状態であっても荷姿が同じになるように積み重ねることができる。例えば、図７において、一番下側の足場用敷板１は、側面１ａが右方向を向いているが、二番目に積載した足場用敷板１は、側面１ａが左方向を向いている。このように上下の足場用敷板１が９０°回転した状態であっても、位置決め部３７、３８、３９と受け部４３ａ、４３ｂ、４３ｃ、４３ｄとがそれぞれと対応して係合し、足場用敷板１の左右方向の位置を規制するようになる。また、このように積み上げた場合であっても、図７に示すように、本体上面３０と本体底面４０とを密着させて複数積み上げることができる。
なお、二番目と三番目のように、側面１ａが同じ方向に向いているものであっても、当然に同じように積み上げることができる。
【００４５】
本考案の実施の形態に係る足場用敷板によれば、足場支柱２の下端部２ａに装着されるジャッキベース３を支持する足場用敷板１において、ジャッキベース３を下側から支持する第１受け部１０および第２受け部２０と、この第１受け部１０および第２受け部２０よりも上側に位置する本体上面３０と、この本体上面３０と略平行に形成された本体底面４０と、第１受け部１０および第２受け部２０がジャッキベース３を支持している状態で、ジャッキベース３の上面の上側に被さる態様で設けられ、上面が本体上面３０と略同一な平面を成す引っかけ部３１、３２、３３、３４、３５、３６とを備えているので、複数の足場用敷板１を上下に積み重ねたとしても、積み重ねた上側の足場用敷板１の本体底面４０と下側の足場用敷板の引っかけ部３１、３２、３３、３４、３５、３６が上下方向で干渉しない。そのため、複数の足場用敷板１を嵩張らずに積み重ねることができる。さらには、６つの引っかけ部３１、３２、３３、３４、３５、３６が平面上で不規則な配置で設けられていたとしても、本体底面４０の構造を複雑にすることなく嵩張らずに積み上げることができる。
【００４６】
また、本体上面３０から突出する位置決め部３７、３８、３９と、本体底面４０に形成され、複数の足場用敷板１を上下に積み重ねた状態で、位置決め部３７、３８、３９が係合すると共に、位置決め部３７、３８、３９が収容されて、本体表面３０および引っかけ部３１、３２、３３、３４、３５、３６の上面と本体底面４０とが接するように形成された受け部４３ａ、４３ｂ、４３ｃ、４３ｄとを備えており、この受け部４３ａ、４３ｂ、４３ｃ、４３ｄは、本体底面４０に形成された十字状に交差する複数の縦リブ４１および横リブ４２であり、位置決め部３７、３８、３９は、縦リブ４１および横リブ４２の交差部分と係合するように略Ｌ字形状に形成されているので、積み重ねられた足場用敷板１の左右方向の位置を規制することができる。また、位置決め部３７、３８、３９は、受け部４３ａ、４３ｂ、４３ｃ、４３ｄ内に収容されるので、足場用敷板１が上下方向で嵩張ることなく積み重ねることができる。
【００４７】
さらに、位置決め部３７、３８、３９および受け部４３ａ、４３ｂ、４３ｃ、４３ｄは、足場用敷板１の中央からほぼ等しい距離でそれぞれ配設されているので、下側の足場用敷板１の向きと上側の足場用敷板１の向きが揃っていなくても（例えば、向きが９０°、１８０°、２７０°異なっていても）、上下に整然と積み上げることができる。また、このような状態であっても、上下に位置する足場用敷板１の水平方向の位置を規制することができる。そのため、作業者は、足場用敷板１の向きを気にせずに積み上げ作業を行えるので、作業性が良い。
【００４８】
さらにまた、ジャッキベース３を支持するジャッキベース受け部（第１受け部１０および第２受け部２０）が少なくとも２つ以上形成され、これらのジャッキベース受け部と対応する前記引っかけ部がそれぞれに設けられているので、例えば、建屋があってジャッキベース３を第１受け部１０で受けられない場合であっても、第２受け部２０で対応することができる。そのため、足場用敷板１の利便性が向上する。
【００４９】
以上、本考案の実施の形態に係る足場用敷板について述べたが、本考案は既述の実施形態に限定されるものではなく、本考案の技術思想に基づいて各種の変形および変更が可能である。
例えば、本実施の形態の足場用敷板１には、２つの受け部（第１受け部１０、第２受け部２０）を設けているが、１つ（いずれか一方のみ）が設けられているものであってもよい。逆に、受け部が３つ以上設けられていてもよい。すなわち、受け部に対応する引っかけ部が設けられ、かつ、この引っかけ部が本体上面と略同一な平面を成していれば、本考案の効果を得ることができる。
【００５０】
また、本実施の形態では、位置決め部３７、３８、３９をＬ字形状に形成しているが、これに限定されるものではない。例えば、円柱状、四角形状など、他の形状であっても、かまわない。この場合、受け部の形状も、この位置決め部の形状に合わせて形成する必要がある。
【００５１】
さらに、本実施の形態では、本体底面４０に縦リブ４１および横リブ４２を形成し、これらのリブで受け部４３ａ、４３ｂ、４３ｃ、４３ｄを構成しているが、他の構造で受け部を構成してもよい。例えば、位置決め部の形状に合わせ、その内部に位置決め部が収容可能な穴であってもかまわない。
【００５２】
また、本実施の形態では、３つの位置決め部３７、３８、３９を設けているが、３つに限定するものではない。すなわち、積み重ねた足場用敷板１の前後左右の水平方向への位置が規制されるのであれば、２つ、または、４つ以上の位置決め部を設けていてもよい。
【符号の説明】
【００５３】
１  足場用敷板
１ａ、１ｂ、１ｃ、１ｄ  足場用敷板の側面
２  足場支柱
２ａ  下端部
３  ジャッキベース
１０  第１受け部（ジャッキベース受け部）
２０  第２受け部（ジャッキベース受け部）
１１  挿入面
１２、１３、１４  壁部
１５  ストッパー
１５ａ  傾斜面
１５ｂ  垂直面
１６  水抜き穴
２１、２２、２３  壁部
３０  本体上面
３１、３２、３３、３４、３５、３６  引っかけ部
３１ａ、３２ａ、３３ａ、３４ａ、３５ａ、３６ａ  抜き穴
３７、３８、３９  位置決め部
３７ａ、３８ａ、３９ａ  角部
３７ｂ、３８ｂ、３９ｂ  外側面
４０  本体底面
４１  縦リブ
４２  横リブ
４３ａ、４３ｂ、４３ｃ、４３ｄ  受け部
【図１】
0003170419.tif 000003
【図２】
0003170419.tif 000004
【図３】
0003170419.tif 000005
【図４】
0003170419.tif 000006
【図５】
0003170419.tif 000007
【図６】
0003170419.tif 000008
【図７】
0003170419.tif 000009